【手続補正書】
【提出日】平成27年2月24日(2015.2.24)
【手続補正１】
【補正対象書類名】特許請求の範囲
【補正対象項目名】全文
【補正方法】変更
【補正の内容】
【特許請求の範囲】
【請求項１】
印刷ジョブの印刷を実行する画像形成装置であって、
当該画像形成装置へログインしているユーザのユーザ識別情報を記憶する記憶手段と、
前記印刷ジョブを印刷すべく、携帯端末を操作するユーザを示すユーザ識別情報を含む要求を前記携帯端末から受信する要求受信手段と、
前記要求受信手段で受信した前記ユーザ識別情報と、前記記憶手段で記憶されている前記ユーザ識別情報とを比較する比較手段と
を備え、
前記比較手段によりユーザ識別情報が一致する場合には、前記携帯端末からの前記要求に対応する印刷を実行し、前記比較手段によりユーザ識別情報が一致しない場合には、前記携帯端末からの前記要求に対応する印刷を実行しないことを特徴とする画像形成装置。
【請求項２】
前記比較手段によりユーザ識別情報が一致しない場合に、エラー情報を前記携帯端末に通知する通知手段
を更に備えることを特徴とする請求項１に記載の画像形成装置。
【請求項３】
前記通知手段は、前記記憶手段にユーザ識別情報が記憶されていない場合には、ログインユーザがいない旨の第１エラー情報を前記携帯端末に通知し、前記比較手段によりユーザ識別情報が一致せず、前記記憶手段にユーザ識別情報が記憶されている場合には、他のユーザがログイン中である旨の第２エラー情報を前記携帯端末に送信することを特徴とする請求項２に記載の画像形成装置。
【請求項４】
ユーザの認証をする認証手段と、
前記認証手段により認証されたユーザのユーザ識別情報に対応する印刷ジョブの一覧を取得する取得手段と、
前記比較手段によりユーザ識別情報が一致する場合には、前記取得手段により取得された印刷ジョブの一覧を前記携帯端末に送信する一覧送信手段と
を更に備えることを特徴とする請求項１乃至請求項３のいずれか１項に記載の画像形成装置。
【請求項５】
印刷ジョブを削除すべく、前記携帯端末からユーザを示すユーザ識別情報を含む削除要求を受信する削除要求受信手段と、
前記削除要求受信手段により受信した前記削除要求に従って、前記削除要求に対応する印刷ジョブの削除制御を行う削除制御手段と
を更に備え、
前記削除制御手段は、前記比較手段により前記削除要求に含まれるユーザ識別情報と前記記憶手段で記憶されているユーザ識別情報とが一致する場合に、前記削除要求に対応する印刷ジョブの削除制御を行うことを特徴とする請求項１乃至請求項４のいずれか１項に記載の画像形成装置。
【請求項６】
印刷ジョブの印刷を実行する画像形成装置と通信可能な携帯端末であって、
当該携帯端末を操作するユーザを示すユーザ識別情報の入力を受け付ける入力手段と、
前記ユーザ識別情報に対応する前記印刷ジョブを印刷させるべく、前記入力手段により入力された前記ユーザ識別情報を含む要求を前記画像形成装置に送信する要求送信手段と、
前記要求送信手段による要求に含まれるユーザ識別情報と、前記画像形成装置へログインしているユーザのユーザ識別情報とが一致しない場合には、前記印刷ジョブを印刷できない旨の結果を表示する結果表示手段と
を備えることを特徴とする携帯端末。
【請求項７】
印刷ジョブの印刷を実行する画像形成装置と、前記画像形成装置と通信可能な携帯端末とがネットワークを介して接続された情報処理システムであって、
前記携帯端末は、
当該携帯端末を操作するユーザを示すユーザ識別情報の入力を受け付ける入力手段と、
前記ユーザ識別情報に対応する前記印刷ジョブを印刷させるべく、前記入力手段により入力された前記ユーザ識別情報を含む要求を前記画像形成装置に送信する要求送信手段と、を備え、
前記画像形成装置は、
当該画像形成装置へログインしているユーザのユーザ識別情報を記憶する記憶手段と、
前記印刷ジョブを印刷するべく、前記携帯端末を操作するユーザを示すユーザ識別情報を含む要求を前記携帯端末から受信する要求受信手段と、
前記要求受信手段で受信した前記ユーザ識別情報と、前記記憶手段で記憶されている前記ユーザ識別情報とを比較する比較手段と
を備え、
前記比較手段によりユーザ識別情報が一致する場合には、前記携帯端末からの前記要求に対応する印刷を実行し、前記比較手段によりユーザ識別情報が一致しない場合には、前記携帯端末からの前記要求に対応する印刷を実行しない
ことを特徴とする情報処理システム。
【請求項８】
当該画像形成装置へログインしているユーザのユーザ識別情報を記憶する記憶手段を備え、印刷ジョブの印刷を実行する画像形成装置における処理方法であって、
前記印刷ジョブを印刷すべく、携帯端末を操作するユーザを示すユーザ識別情報を含む要求を前記携帯端末から受信する要求受信ステップと、
前記要求受信ステップで受信した前記ユーザ識別情報と、前記記憶手段で記憶されている前記ユーザ識別情報とを比較する比較ステップと
を含み、
前記比較ステップによりユーザ識別情報が一致する場合には、前記携帯端末からの前記要求に対応する印刷を実行し、前記比較ステップによりユーザ識別情報が一致しない場合には、前記携帯端末からの前記要求に対応する印刷を実行しないことを特徴とする画像形成装置における処理方法。
【請求項９】
印刷ジョブの印刷を実行する画像形成装置と通信可能な携帯端末における処理方法であって、
当該携帯端末を操作するユーザを示すユーザ識別情報の入力を受け付ける入力ステップと、
前記ユーザ識別情報に対応する前記印刷ジョブを印刷させるべく、前記入力ステップで入力された前記ユーザ識別情報を含む要求を前記画像形成装置に送信する要求送信ステップと、
前記要求送信手段による要求に含まれるユーザ識別情報と、前記画像形成装置へログインしているユーザのユーザ識別情報とが一致しない場合には、前記印刷ジョブを印刷できない旨の結果を表示する結果表示ステップと
を含むことを特徴とする携帯端末の処理方法。
【請求項１０】
当該画像形成装置へログインしているユーザのユーザ識別情報を記憶する記憶手段を備え、印刷ジョブの印刷を実行する画像形成装置と、前記画像形成装置と通信可能な携帯端末とがネットワークを介して接続された情報処理システムにおける処理方法であって、
前記携帯端末は、
当該携帯端末を操作するユーザを示すユーザ識別情報の入力を受け付ける入力ステップと、
前記ユーザ識別情報に対応する前記印刷ジョブを印刷させるべく、前記入力ステップで入力された前記ユーザ識別情報を含む要求を前記画像形成装置に送信する要求送信ステップと、を含み、
前記画像形成装置は、
前記印刷ジョブを印刷すべく、前記携帯端末を操作するユーザを示すユーザ識別情報を含む要求を前記携帯端末から受信する要求受信ステップと、
前記要求受信ステップで受信した前記ユーザ識別情報と、前記記憶手段で記憶されている前記ユーザ識別情報とを比較する比較ステップと
を含み、
前記比較ステップによりユーザ識別情報が一致する場合には、前記携帯端末からの前記要求に対応する印刷を実行し、前記比較ステップによりユーザ識別情報が一致しない場合には、前記携帯端末からの前記要求に対応する印刷を実行しない
ことを特徴とする情報処理システムにおける処理方法。
【請求項１１】
コンピュータを、印刷ジョブの印刷を実行する画像形成装置として機能させるためのプログラムであって、
前記コンピュータを、
当該画像形成装置へログインしているユーザのユーザ識別情報を記憶する記憶手段、
前記印刷ジョブを印刷すべく、携帯端末を操作するユーザを示すユーザ識別情報を含む要求を前記携帯端末から受信する要求受信手段、
前記要求受信手段で受信した前記ユーザ識別情報と、前記記憶手段で記憶されている前記ユーザ識別情報とを比較する比較手段、
として機能させ、
前記比較手段によりユーザ識別情報が一致する場合には、前記携帯端末からの前記要求に対応する印刷を実行し、前記比較手段によりユーザ識別情報が一致しない場合には、前記携帯端末からの前記要求に対応する印刷を実行しないことを特徴とするプログラム。
【請求項１２】
コンピュータを、印刷ジョブの印刷を実行する画像形成装置と通信可能な携帯端末として機能させるためのプログラムであって、
前記コンピュータを、
当該携帯端末を操作するユーザを示すユーザ識別情報の入力を受け付ける入力手段、
前記ユーザ識別情報に対応する前記印刷ジョブを印刷させるべく、前記入力手段により入力された前記ユーザ識別情報を含む要求を前記画像形成装置に送信する要求送信手段、
前記要求送信手段による要求に含まれるユーザ識別情報と、前記画像形成装置へログインしているユーザのユーザ識別情報とが一致しない場合には、前記印刷ジョブを印刷できない旨の結果を表示する結果表示手段、として機能させるためのプログラム。
【請求項１３】
印刷ジョブの印刷を実行する画像形成装置と、前記画像形成装置と通信可能な携帯端末とがネットワークを介して接続された情報処理システムのプログラムであって、
前記携帯端末であるコンピュータを、
当該携帯端末を操作するユーザを示すユーザ識別情報の入力を受け付ける入力手段、
前記ユーザ識別情報に対応する前記印刷ジョブを印刷させるべく、前記入力手段により入力された前記ユーザ識別情報を含む要求を前記画像形成装置に送信する要求送信手段、として機能させ、
前記画像形成装置であるコンピュータを、
当該画像形成装置へログインしているユーザのユーザ識別情報を記憶する記憶手段、
前記印刷ジョブを印刷すべく、前記携帯端末を操作するユーザを示すユーザ識別情報を含む要求を前記携帯端末から受信する要求受信手段、
前記要求受信手段で受信した前記ユーザ識別情報と、前記記憶手段で記憶されている前記ユーザ識別情報とを比較する比較手段
として機能させ、
前記比較手段によりユーザ識別情報が一致する場合には、前記携帯端末からの前記要求に対応する印刷を実行し、前記比較手段によりユーザ識別情報が一致しない場合には、前記携帯端末からの前記要求に対応する印刷を実行しない
ことを特徴とするプログラム。
【手続補正２】
【補正対象書類名】明細書
【補正対象項目名】０００８
【補正方法】変更
【補正の内容】
【０００８】
前述した目的を達成するための第１の発明は、印刷ジョブの印刷を実行する画像形成装置であって、当該画像形成装置へログインしているユーザのユーザ識別情報を記憶する記憶手段と、前記印刷ジョブを印刷すべく、携帯端末を操作するユーザを示すユーザ識別情報を含む要求を前記携帯端末から受信する要求受信手段と、前記要求受信手段で受信した前記ユーザ識別情報と、前記記憶手段で記憶されている前記ユーザ識別情報とを比較する比較手段とを備え、前記比較手段によりユーザ識別情報が一致する場合には、前記携帯端末からの前記要求に対応する印刷を実行し、前記比較手段によりユーザ識別情報が一致しない場合には、前記携帯端末からの前記要求に対応する印刷を実行しないことを特徴とする画像形成装置である。
【手続補正３】
【補正対象書類名】明細書
【補正対象項目名】００１０
【補正方法】変更
【補正の内容】
【００１０】
また、画像形成装置は、前記比較手段によりユーザ識別情報が一致しない場合に、エラー情報を前記携帯端末に通知する通知手段を更に備える。
これにより、携帯端末から受信したユーザ識別情報と画像形成装置にログインしているユーザのユーザ識別情報とが一致しない場合に、携帯端末のユーザに通知をすることができる。
【手続補正４】
【補正対象書類名】明細書
【補正対象項目名】００１１
【補正方法】変更
【補正の内容】
【００１１】
また、前記通知手段は、前記記憶手段にユーザ識別情報が記憶されていない場合には、ログインユーザがいない旨の第１エラー情報を前記携帯端末に通知し、前記比較手段によりユーザ識別情報が一致せず、前記記憶手段にユーザ識別情報が記憶されている場合には、他のユーザがログイン中である旨の第２エラー情報を前記携帯端末に送信する。
これにより、受信したユーザ識別情報と記憶手段に記憶されているユーザのユーザ識別情報とが一致しない場合において、記憶手段に記憶されているユーザ識別情報が存在するか否かによって、二種類のエラー情報を適切に携帯端末に送信することができる。
【手続補正５】
【補正対象書類名】明細書
【補正対象項目名】００１２
【補正方法】変更
【補正の内容】
【００１２】
また、画像形成装置は、ユーザの認証をする認証手段と、前記認証手段により認証されたユーザのユーザ識別情報に対応する印刷ジョブの一覧を取得する取得手段と、前記比較手段によりユーザ識別情報が一致する場合には、前記取得手段により取得された印刷ジョブの一覧を前記携帯端末に送信する一覧送信手段とを更に備える。
これにより、印刷ジョブの一覧をさせる携帯端末に適切に送信することができる。
【手続補正６】
【補正対象書類名】明細書
【補正対象項目名】００１３
【補正方法】変更
【補正の内容】
【００１３】
また、印刷ジョブを削除するために、前記携帯端末からユーザを示すユーザ識別情報を含む削除要求を受信する削除要求受信手段と、前記削除要求受信手段により受信した前記削除要求に従って、前記削除要求に対応する印刷ジョブの削除制御を行う削除制御手段とを更に備え、前記削除制御手段は、前記比較手段により前記削除要求に含まれるユーザ識別情報と前記記憶手段で記憶されているユーザ識別情報とが一致する場合に、前記削除要求に対応する印刷ジョブの削除制御を行う。
これにより、印刷ジョブを好適に削除することができる。
【手続補正７】
【補正対象書類名】明細書
【補正対象項目名】００１４
【補正方法】変更
【補正の内容】
【００１４】
前述した目的を達成するための第２の発明は、印刷ジョブの印刷を実行する画像形成装置と通信可能な携帯端末であって、当該携帯端末を操作するユーザを示すユーザ識別情報の入力を受け付ける入力手段と、前記ユーザ識別情報に対応する前記印刷ジョブを印刷させるべく、前記入力手段により入力された前記ユーザ識別情報を含む要求を前記画像形成装置に送信する要求送信手段と、前記要求送信手段による要求に含まれるユーザ識別情報と、前記画像形成装置へログインしているユーザのユーザ識別情報とが一致しない場合には、前記印刷ジョブを印刷できない旨の結果を表示する結果表示手段とを備えることを特徴とする携帯端末である。
第２の発明に係る携帯端末によれば、当該携帯端末からの印刷指示による印刷を適切に行うことができる。
【手続補正８】
【補正対象書類名】明細書
【補正対象項目名】００１５
【補正方法】変更
【補正の内容】
【００１５】
前述した目的を達成するための第３の発明は、印刷ジョブの印刷を実行する画像形成装置と、前記画像形成装置と通信可能な携帯端末とがネットワークを介して接続された情報処理システムであって、前記携帯端末は、当該携帯端末を操作するユーザを示すユーザ識別情報の入力を受け付ける入力手段と、前記ユーザ識別情報に対応する前記印刷ジョブを印刷させるべく、前記入力手段により入力された前記ユーザ識別情報を含む要求を前記画像形成装置に送信する要求送信手段と、を備え、前記画像形成装置は、当該画像形成装置へログインしているユーザのユーザ識別情報を記憶する記憶手段と、前記印刷ジョブを印刷するべく、前記携帯端末を操作するユーザを示すユーザ識別情報を含む要求を前記携帯端末から受信する要求受信手段と、前記要求受信手段で受信した前記ユーザ識別情報と、前記記憶手段で記憶されている前記ユーザ識別情報とを比較する比較手段とを備え、前記比較手段によりユーザ識別情報が一致する場合には、前記携帯端末からの前記要求に対応する印刷を実行し、前記比較手段によりユーザ識別情報が一致しない場合には、前記携帯端末からの前記要求に対応する印刷を実行しないことを特徴とする情報処理システムである。
【手続補正９】
【補正対象書類名】明細書
【補正対象項目名】００１６
【補正方法】変更
【補正の内容】
【００１６】
前述した目的を達成するための第４の発明は、当該画像形成装置へログインしているユーザのユーザ識別情報を記憶する記憶手段を備え、印刷ジョブの印刷を実行する画像形成装置における処理方法であって、前記印刷ジョブを印刷すべく、携帯端末を操作するユーザを示すユーザ識別情報を含む要求を前記携帯端末から受信する要求受信ステップと、前記要求受信ステップで受信した前記ユーザ識別情報と、前記記憶手段で記憶されている前記ユーザ識別情報とを比較する比較ステップとを含み、前記比較ステップによりユーザ識別情報が一致する場合には、前記携帯端末からの前記要求に対応する印刷を実行し、前記比較ステップによりユーザ識別情報が一致しない場合には、前記携帯端末からの前記要求に対応する印刷を実行しないことを特徴とする画像形成装置における処理方法である。
【手続補正１０】
【補正対象書類名】明細書
【補正対象項目名】００１７
【補正方法】変更
【補正の内容】
【００１７】
前述した目的を達成するための第５の発明は、印刷ジョブの印刷を実行する画像形成装置と通信可能な携帯端末における処理方法であって、当該携帯端末を操作するユーザを示すユーザ識別情報の入力を受け付ける入力ステップと、前記ユーザ識別情報に対応する前記印刷ジョブを印刷させるべく、前記入力ステップで入力された前記ユーザ識別情報を含む要求を前記画像形成装置に送信する要求送信ステップと、前記要求送信手段による要求に含まれるユーザ識別情報と、前記画像形成装置へログインしているユーザのユーザ識別情報とが一致しない場合には、前記印刷ジョブを印刷できない旨の結果を表示する結果表示ステップとを含むことを特徴とする携帯端末の処理方法である。
【手続補正１１】
【補正対象書類名】明細書
【補正対象項目名】００１８
【補正方法】変更
【補正の内容】
【００１８】
前述した目的を達成するための第６の発明は、当該画像形成装置へログインしているユーザのユーザ識別情報を記憶する記憶手段を備え、印刷ジョブの印刷を実行する画像形成装置と、前記画像形成装置と通信可能な携帯端末とがネットワークを介して接続された情報処理システムにおける処理方法であって、前記携帯端末は、当該携帯端末を操作するユーザを示すユーザ識別情報の入力を受け付ける入力ステップと、前記ユーザ識別情報に対応する前記印刷ジョブを印刷させるべく、前記入力ステップで入力された前記ユーザ識別情報を含む要求を前記画像形成装置に送信する要求送信ステップと、を含み、前記画像形成装置は、前記印刷ジョブを印刷すべく、前記携帯端末を操作するユーザを示すユーザ識別情報を含む要求を前記携帯端末から受信する要求受信ステップと、前記要求受信ステップで受信した前記ユーザ識別情報と、前記記憶手段で記憶されている前記ユーザ識別情報とを比較する比較ステップとを含み、前記比較ステップによりユーザ識別情報が一致する場合には、前記携帯端末からの前記要求に対応する印刷を実行し、前記比較ステップによりユーザ識別情報が一致しない場合には、前記携帯端末からの前記要求に対応する印刷を実行しないことを特徴とする情報処理システムにおける処理方法である。

【手続補正１２】
【補正対象書類名】明細書
【補正対象項目名】００１９
【補正方法】変更
【補正の内容】
【００１９】
前述した目的を達成するための第７の発明は、コンピュータを、印刷ジョブの印刷を実行する画像形成装置として機能させるためのプログラムであって、前記コンピュータを、当該画像形成装置へログインしているユーザのユーザ識別情報を記憶する記憶手段、前記印刷ジョブを印刷すべく、携帯端末を操作するユーザを示すユーザ識別情報を含む要求を前記携帯端末から受信する要求受信手段、前記要求受信手段で受信した前記ユーザ識別情報と、前記記憶手段で記憶されている前記ユーザ識別情報とを比較する比較手段、として機能させ、前記比較手段によりユーザ識別情報が一致する場合には、前記携帯端末からの前記要求に対応する印刷を実行し、前記比較手段によりユーザ識別情報が一致しない場合には、前記携帯端末からの前記要求に対応する印刷を実行しないことを特徴とするプログラムである。
【手続補正１３】
【補正対象書類名】明細書
【補正対象項目名】００２０
【補正方法】変更
【補正の内容】
【００２０】
前述した目的を達成するための第８の発明は、コンピュータを、印刷ジョブの印刷を実行する画像形成装置と通信可能な携帯端末として機能させるためのプログラムであって、前記コンピュータを、当該携帯端末を操作するユーザを示すユーザ識別情報の入力を受け付ける入力手段、前記ユーザ識別情報に対応する前記印刷ジョブを印刷させるべく、前記入力手段により入力された前記ユーザ識別情報を含む要求を前記画像形成装置に送信する要求送信手段、前記要求送信手段による要求に含まれるユーザ識別情報と、前記画像形成装置へログインしているユーザのユーザ識別情報とが一致しない場合には、前記印刷ジョブを印刷できない旨の結果を表示する結果表示手段、として機能させるためのプログラムである。
【手続補正１４】
【補正対象書類名】明細書
【補正対象項目名】００２１
【補正方法】変更
【補正の内容】
【００２１】
前述した目的を達成するための第９の発明は、印刷ジョブの印刷を実行する画像形成装置と、前記画像形成装置と通信可能な携帯端末とがネットワークを介して接続された情報処理システムのプログラムであって、前記携帯端末であるコンピュータを、当該携帯端末を操作するユーザを示すユーザ識別情報の入力を受け付ける入力手段、前記ユーザ識別情報に対応する前記印刷ジョブを印刷させるべく、前記入力手段により入力された前記ユーザ識別情報を含む要求を前記画像形成装置に送信する要求送信手段、として機能させ、前記画像形成装置であるコンピュータを、当該画像形成装置へログインしているユーザのユーザ識別情報を記憶する記憶手段、前記印刷ジョブを印刷すべく、前記携帯端末を操作するユーザを示すユーザ識別情報を含む要求を前記携帯端末から受信する要求受信手段、前記要求受信手段で受信した前記ユーザ識別情報と、前記記憶手段で記憶されている前記ユーザ識別情報とを比較する比較手段として機能させ、前記比較手段によりユーザ識別情報が一致する場合には、前記携帯端末からの前記要求に対応する印刷を実行し、前記比較手段によりユーザ識別情報が一致しない場合には、前記携帯端末からの前記要求に対応する印刷を実行しないことを特徴とするプログラムである。